(57)【要約】【課題】コンクリート建物の外壁に、密着層型の断熱複合パネルを，コンクリート躯体外面の不陸に関係なく面一に施工出来、且つ、断熱複合パネル内に、腰水切からの上昇貫流通気を保証すること。【解決手段】コンクリート基礎１にアンカーボルト６ａを固定しておき、アングル鋼材の一次ファスナー６の垂直片６Ｗをアンカーボルト６ａで締着してコンクリート基礎に固定し、通気用の条溝ａを備えたセメント板Ｐａと断熱層Ｐｂとの密着層型断熱複合パネルＰの条溝ａ下端を二次ファスナー１０の上方突出片１２ａと結合し、二次ファスナー１０と一次ファスナー６に対応配置した左右方向長孔Ｈ１０と前後方向長孔Ｈ６とを介して二次ファスナー１０を一次ファスナー６上に前後左右位置調整して固定し、パネルＰの下方に腰水切２を、前部上方と底板２Ｄ後部とを、それぞれ取付板１５，１６によって二次ファスナー下面及び一次ファスナー垂直片６Ｗ前面に固定し、腰水切底板２Ｄの空気孔Ｈ２から断熱複合パネルＰの通気用条溝ａへの空気流入を保証する。【選択図】図１
2005061043.tif 000002
【特許請求の範囲】
【請求項１】
通気用の条溝（ａ）を備えたセメント板（Ｐａ）と断熱層（Ｐｂ）とを層着した断熱複合パネル（Ｐ）と、該パネル（Ｐ）の下端を係止した二次ファスナー（１０）と、該二次ファスナー（１０）を前後左右調整自在にボルト締着した一次ファスナー（６）と、該パネル（Ｐ）下方に配置した空気孔（Ｈ２）を備えた腰水切（２）とを含み、一次ファスナー（６）はコンクリート基礎（１）の前面に固定し、該パネル（Ｐ）の下端の断熱層（Ｐｂ）とコンクリート基礎（１）前面との間を空密的に閉止し、腰水切（２）は、前部上方を前部取付板（１５）を介して二次ファスナー（１０）の前部下面に、底板（２Ｄ）後部を後部取付板（１６）を介して一次ファスナー（６）に、且つ、空気孔（Ｈ２）から条溝（ａ）に通気可能に止着した、通気性外断熱外壁の下端構造。
【請求項２】
一次ファスナー（６）は、水平片（６Ｆ）及び垂直片（６Ｗ）を備えたアングル鋼材であり、垂直片（６Ｗ）をコンクリート基礎（１）に打込んだアンカーボルト（６ａ）に締着した請求項１の外壁の下端構造。
【請求項３】
セメント板（Ｐａ）の係止用条溝（ａ）が、断面台形の上辺を開口した形態であり、二次ファスナー（１０）が、水平片（１０Ｆ）と、水平片前端の断面台形の上方突出片（１２ａ）とを備えた請求項１又は２の外壁の下端構造
【請求項４】
一次ファスナー水平片（６Ｆ）が前後方向長孔（Ｈ６）を、二次ファスナー水平片（１０Ｆ）が左右方向長孔（Ｈ１０）を備え、前後方向長孔（Ｈ６）と左右方向長孔（Ｈ１０）を介して、二次ファスナー（１０）を前後左右調整して一次ファスナー（６）にボルト締着した、請求項１乃至３のいずれか１項の外壁の下端構造。
【請求項５】
断熱複合パネル（Ｐ）は、内面に、少なくとも両端が、断面台形の条溝（ａ１）である上下方向の条溝（ａ１，ａ２）群を備えたセメント板（Ｐａ）の条溝（ａ１，ａ２）群面上に、成形発泡断熱材（Ｐｂ）を、条溝（ａ１，ａ２）をふさがない形態で積層一体化した、請求項１乃至４のいずれか１項の外壁の下端構造。
【請求項６】
二次ファスナー（１０）が左右一対の上方突出片（１２ａ）を備え、二次ファスナー（１０）を断熱複合パネル（Ｐ）の左右接続部（ｄ３）に配置し、且つ、各上方突出片（１２ａ）を接続部（ｄ３）両側の各断熱複合パネル（Ｐ）のセメント板端部条溝（ａ）に係止した、請求項３乃至５のいずれか１項の外壁の下端構造。
【請求項７】
一次ファスナー水平片（６Ｆ）上面と断熱複合パネルの断熱層（Ｐｂ）下面との隙間（Ｇ１）には、隙間追従シート（２３）をコンクリート基礎（１）に当接形態で配置した、請求項１乃至６のいずれか１項の外壁の下端構造。
【請求項８】
長尺でアングル形態の前部取付板（１５）の水平片（１５Ｆ）を二次ファスナー前端下面に固着し、短尺でアングル形態の後部取付板（１６）の垂直片（１６Ｗ）を一次ファスナー垂直片（６Ｗ）に固着すると共に、腰水切（２）の立上り板（２Ｂ）を前部取付板垂直片（１５Ｗ）に止着し、腰水切底板（２Ｄ）の後端を、長尺でアングル形態の化粧板（１７）の水平片（１７Ｆ）を狭持して、後部取付板水平片（１６Ｆ）に止着した、請求項１乃至７のいずれか１項の外壁の下端構造。
【請求項９】
化粧板（１７）がアングル形態の長尺物であり、腰水切前端の水切片（２Ｃ）と化粧板垂直片（１７Ｗ）間の幅寸法（Ｗｂ）が腰水切の長さ方向全長に亘って等寸である、請求項８の外壁の下端構造。
【請求項１０】
化粧板垂直片（１７Ｗ）は、一次ファスナー垂直片（６Ｗ）下端よりも下方に延出し、且つ、基礎コンクリート（１）との間隔（Ｇ２）にはシーリング（２２ｂ）を充填した、請求項８又は９の通気性外壁の下端構造。
【発明の詳細な説明】
【技術分野】
【０００１】
本発明は、外壁下端の腰水切から外壁上端の笠木まで、外気が外壁断熱複合パネル内の貫通可能な外断熱建築物の外壁下端構造に関するものであり、より詳しくは、成形セメント外装板に断熱層を一体化層着した密着層型の断熱複合パネルを腰水切と共に、コンクリート躯体に取付ける外断熱工法に関するものであり、建築の技術分野に属するものである。
【背景技術】
【０００２】
密着層型の断熱複合パネルをコンクリート躯体に張着して外断熱建築物とする技術は、図８に示す従来例１、及び図９に示す従来例２がある。
従来例１は、非特許文献１及び非特許文献２に開示されたものであり、図８に示す如く、内面に条溝を備え、適所にあと施工アンカー用の孔を配設したセメント板に断熱層を一体化層着した密着層型の外断熱複合パネルの断熱層を、接着剤でコンクリート躯体に接着し、アンカーをセメント板からコンクリート躯体に打ち付けると共に、コンクリート躯体に打込んだ、あと施工アンカーボルトに締着した重量受けアングルで断熱複合パネルの外壁下端を支承するものであり、コンクリート建築物を外断熱に改修する技術である。
【０００３】
また、従来例２は、非特許文献３に開示されたものであり、図９に示す如く、ＧＦＰＣ系外装材（厚さ１３mmの両面ガラス繊維混入火山礫サンドアッシュフェノール樹脂板）と、断熱材とを接着一体化した密着層型の断熱複合パネル（岩倉化学工業（株）の商品名：オーマルＹＢ−Ｒ）を外装材とし、外装材には、あと施工アンカー用の孔を適所に配設すると共に、断熱層表面にはだんご状の接着剤を適宜間隔に配設し、だんご状接着剤でパネルの断熱層をコンクリート躯体表面に貼着し、あと施工アンカーを外装材表面からコンクリート躯体へ打ち込んで張着するものであり、複合パネル下端は、図９（Ｃ）の如く、ＧＦＰＣ系外装材及びシーリングで閉止するか、図９（Ｄ）に示す如く、コンクリート躯体に取付けた水切取付下地材を介してアルミ水切を取付け、断熱複合パネル下端と水切との隙間にシーリングを施すものである。
【０００４】
【非特許文献１】株式会社、建築技術発行、「建築技術」２００１年２月号第１２３頁、アキレスＫＤパネルの項
【非特許文献２】三菱マテリアル建材（株）のカタログ「メースガイドブックｖｏｌ．５」の１６４頁
【非特許文献３】岩倉化学工業（株）のパンフレット「オーマルＹＢ−Ｒ」の後貼施工要領書
【発明の開示】
【発明が解決しようとする課題】
【０００５】
既存建物の改修に於いて、従来例１や従来例２の乾式被覆改修外断熱構工法は、既存建物の外壁に取付金物によってパネルを乾式に取付けるもので、既存外壁の仕上材に剥離や剥落の恐れのあるコンクリート建築物や、汚れやデザインの陳腐化したコンクリート建築物への適用に有効であり、新築の外断熱コンクリート建築物と同様に、結露が防止出来て健康的な建物に改修出来、省エネルギー、且つ耐久性のあるコンクリート建物に改修出来る。
【０００６】
しかし、日本建築学会編、「建築工事標準仕様書、同解説（ＪＡＳＳ５）鉄筋コンクリート工事」１９９７年版では、外壁面の不陸は、タイルの圧着張りでは、３ｍにつき１０mm以下、モルタル塗では１ｍにつき１０mm以下、打放しコンクリートでは、３ｍにつき７mm以下となっているが、建築後１５〜２０年経過したコンクリート建築物にあっては、建築時の型枠精度等の問題から１ｍにつき１０mm位の不陸の存在は普通である。
【０００７】
従来例１の改修にあっては、既存建物の外壁のコンクリート躯体表面に断熱複合パネルを面接着するため、コンクリート躯体外面に不陸（面の不平坦）があれば、断熱複合パネルの前後方向調整が不可能であるため、断熱複合パネルの外壁面もコンクリート躯体の不陸に追従して不陸となる。
従って、外壁面をなるべく面一にするために、断熱複合パネルの張着に先立ってコンクリート躯体外面の突出面を斫る面一化作業が必要であり、斫り作業は作業性が悪く、しかも、コンクリート躯体表面の面一化は困難である。
【０００８】
また、該断熱複合パネルは、当初該セメント板がコンクリート一体化用型枠として開発され、一体化コンクリートとの付着性向上のために条溝を付設したものであったが、該セメント板に断熱材を層着一体化して断熱複合パネル（商品名：アキレスＫＤパネル）とされたものであり、該条溝は、該パネルにあってはセメント板の軽量化の意義しかなく、従来例１の断熱複合パネルによる外壁は、重量受けアングルがパネル下端面を面当接で支承していることからも明らかな如く、通気性が存在しないため、断熱層とセメント板間には、密着層型外断熱複合パネル特有の界面結露の問題を有する。
【０００９】
また、従来例２の乾式被覆改修構工法にあっても、断熱複合パネルのコンクリート躯体表面への張着は、接着剤のだんごを点在配置してパネルを押圧接着するため、だんご状接着剤の押圧変形がコンクリート躯体表面の不陸に若干対応出来るものの、不陸調整寸法が小であるため、やはり、パネルの張着に先立って、コンクリート躯体表面の突出面を斫る作業も必要であり、斫り作業を伴う断熱複合パネルの張着の作業性が悪く、しかも外壁面の面一化張着は困難である。
【００１０】
そして、該断熱複合パネルは、ＧＦＰＣ系外装材と断熱層との密着層型パネルであるが、該パネル自体は通気層が存在せず、断熱層と外装材間には、密着層型の外断熱複合パネル特有の界面結露を生ずるものである。
本発明は、密着層型の断熱複合パネルでありながら、パネル内通気が可能な外壁となり、しかも、断熱複合パネルのコンクリート躯体表面への張着は、コンクリート躯体表面の不陸に関係なく外壁表面を面一に、且つ、作業性良く施工出来る新規な外壁下部構造を提供し、しかも、密着層型断熱複合パネルでありながら、外壁下端の腰水切から上下連設パネル内を貫通して上端の笠木への通気も可能となる外壁の下端構造を提供するものであり、上述の如き、従来例１、従来例２の問題点を一挙に解決するものである。
【課題を解決するための手段】
【００１１】
本発明は、例えば図１に示す如く、通気用の条溝ａを備えたセメント板Ｐａと断熱層Ｐｂとを層着した密着層型の断熱複合パネルＰと、該パネルＰの下端を係止した二次ファスナー１０と、該二次ファスナー１０を前後左右調整自在にボルト締着した一次ファスナー６と、該パネルＰ下方に配置した空気孔Ｈ２を備えた腰水切２とを含み、一次ファスナー６はコンクリート基礎１の前面に固定し、二次ファスナー１０に係止したパネルＰの下端の断熱層Ｐｂとコンクリート基礎１前面Ｓｃとの間を空密的に閉止し、腰水切２は、前部上方を前部取付板１５を介して二次ファスナー１０の前部下面に止着し、底板２Ｄ後部を後部取付板１６を介して一次ファスナー６に止着し、且つ、空気孔Ｈ２からパネルＰ内の条溝ａへの通気を保証して止着した、外壁の下端構造に関するものである。
尚、断熱層Ｐｂとコンクリート基礎１前面Ｓｃとの間の空密的閉止は、断熱層とコンクリート基礎前面の界面隙間ａ´への空気流入を阻止出来れば良く、典型的にはシール処理である。
【００１２】
一次ファスナー６は、図４（Ａ）の如く、水平片６Ｆ及び垂直片６Ｗを備えたアングル鋼材であり、垂直片６Ｗをコンクリート基礎１に打込んだアンカーボルト６ａに接着するのが好ましい。
この場合、アンカーボルト６ａをコンクリート躯体構築時に、基礎１に一体化埋設することにより、本発明構造を備えた新築建築物が得られ、また、既存建物の乾式被覆改修外断熱構工法として本発明を適用する際には、既存建物のコンクリート基礎１へボルト孔を穿孔し、あと施工アンカーボルト６ａを打込めば良い。
【００１３】
また、断熱複合パネルＰと二次ファスナー１０との係合に関しては、セメント板Ｐａの係止用条溝ａが、図３（Ｃ）の如く、断面台形の上辺を開口した形態であり、二次ファスナー１０が、図４（Ｂ）の如く、水平片１０Ｆと、水平片前端の断面台形の上方突出片１２を備えているのが好ましく、この場合、二次ファスナー１０の上方突出片１２ａをパネルＰの下端から条溝ａに嵌合することにより、パネルＰの下端の二次ファスナー１０での確実、且つ容易な係止が遂行出来、水平片１０ＦがパネルＰの下端を適正に支承する。
【００１４】
また、図４（Ａ）の如く、一次ファスナー水平片６Ｆが前後方向長孔Ｈ６を備え、図４（Ｂ）の如く、二次ファスナー水平片１０Ｆが左右方向長孔Ｈ１０を備え、前後方向長孔Ｈ６と左右方向長孔Ｈ１０を介して、二次ファスナー１０を前後左右調整して一次ファスナー６にボルト締着するのが好ましい。
この場合、断熱複合パネルＰの下端を係止する二次ファスナー１０の、一次ファスナー６の前後長孔Ｈ６によるコンクリート躯体表面に対する前後動調整により、コンクリート躯体Ｃｗの表面に不陸があっても、コンクリート躯体表面の斫り作業を要せずとも各パネル表面を面一に配置可能となり、既存建物の外断熱への乾式被覆改修に特に有利である。
【００１５】
勿論、断熱複合パネルＰのコンクリート躯体表面に対する前方への調整量によっては、パネル断熱層Ｐｂとコンクリート躯体表面Ｓｃ間に、図１（Ａ），（Ｂ）の如く、隙間ａ´を生ずるが、該隙間ａ´の下端を閉止すれば、隙間ａ´は密閉空気層となって空気断熱層の機能を奏するため、外断熱外壁として何ら支障ない。
【００１６】
また、断熱複合パネルＰは、図３（Ｂ）に示す如く、内面に、少なくとも両端が、断面台形の条溝ａ１である上下方向の条溝ａ１，ａ２群を備えたセメント板Ｐａの条溝ａ１，ａ２群面上に、成形発泡断熱材Ｐｂを、条溝ａ１，ａ２をふさがない形態で積層一体化するのが好ましい。
この場合、条溝ａ１の断面形状は、図３（Ｃ）の如く、台形の上辺（短辺）が開口した形状とすれば、二次ファスナーの対応突出片１２ａとの係合止着がスムーズとなり、二次ファスナー１０によるパネルＰの確保に有利である。
そして、断面台形条溝ａ１がパネルＰの両端に存在すれば、二次ファスナー１０が各パネルを側端部で係止することとなり、パネルＰ群の左右接続時の各パネルＰの面一配置が容易となる。
【００１７】
また、本発明にあっては、二次ファスナー１０が、図４（Ｂ）の如く、左右一対の上方突出片１２ａを備え、二次ファスナー１０を断熱複合パネルＰの左右接続部ｄ３に配置し、且つ、各上方突出片１２ａを接続部ｄ３両側の各断熱複合パネルＰのセメント板端部の条溝ａに係止するのが好ましい。
この場合、二次ファスナー１０に係止する両側の各パネル下端は、１個の二次ファスナー水平片１０Ｆで同一レベルに、且つ、一対の上方突出片１２ａによって前後方向均斉に保持されるため、並列各パネル間の面一化が容易である。
【００１８】
また、図１（Ａ）に示す如く、一次ファスナー水平片６Ｆ上面と断熱複合パネルの断熱層Ｐｂ下面との隙間Ｇ１には、隙間追従シート２３をコンクリート基礎１に当接形態で配置するのが好ましい。
この場合、隙間追従シート２３は、該隙間Ｇ１を空密的に閉止出来るものであれば良く、典型的には、断熱性、機密性、防湿性、非吸水性に優れた、幅２０mm、厚さ２mmのポリエチレン製形状回復発泡体のソフトロン（積水化学（株）商品名）であり、該ソフトロンは、張着後１日経過でシートが発泡し、一次ファスナー６、断熱層Ｐｂ下端及びコンクリート基礎１前面に当接充填形態で隙間を閉止する。
【００１９】
従って、図１（Ｂ）の如く、パネル断熱層Ｐｂ下端とコンクリート基礎１前面間の界面隙間ａ´にもシール２２Ｃを施せば、シール２２Ｃと隙間追従シート２３とによって、断熱複合パネルＰの断熱層Ｐｂとコンクリート躯体Ｃｗ間に例え界面隙間ａ´が生じても、該界面隙間ａ´は密閉空気層となり断熱性を発揮する。
【００２０】
また、腰水切２の取付けに関しては、図５（Ｃ）の如く、長尺でアングル形態の前部取付板１５の水平片１５Ｆを、図１（Ａ）の如く、二次ファスナー前端下面に溶接等で固着し、図５（Ｄ）の如く、短尺でアングル形態の後部取付板１６の垂直片１６Ｗを、図１（Ａ）の如く、一次ファスナー垂直片６Ｗに溶接等で固着すると共に、腰水切２の立上り板２Ｂを前部取付板垂直片１５Ｗに止着し、腰水切底板２Ｄの後端を、長尺で水平片１７Ｆ及び垂直片１７Ｗから成るアングル形態の化粧板１７の水平片１７Ｆを狭持して、後部取付板水平片１６Ｆに止着するのが好ましい。
【００２１】
この場合、長尺物の前部取付板１５及び短尺物の後部取付板１６は、それぞれ、各パネルＰの左右接続部に配置した二次ファスナー１０及び一次ファスナー６によって図１（Ａ）の如く確保され、各ファスナーの存在しない位置では、図１（Ｂ）の如く、各取付板１５，１６が差し渡し状に延設されることとなるため、各取付板１５，１６は腰水切２を全長に亘って、適宜個所での接着、ねじ止着等で適切に保持出来る。
しかも、腰水切の空気層Ｈ２からパネル条溝ａへの空気の連通も保証されているため、美観及び水切作用を備えた腰水切２が密着層型の断熱複合パネルＰ内の空気流を保証する外壁の下部構造を提供する。
【００２２】
また、化粧板１７が、図５（Ｅ）の如く、アングル形態の長尺物であり、腰水切前端の水切片２Ｃと化粧板垂直片１７Ｗ間の幅寸法Ｗｂが腰水切の長さ方向全長に亘って等寸とするのが好ましい。
化粧板１７の水平片１７Ｆは、図１（Ａ），（Ｂ）の如く、前部取付板１５と後部取付板１６との間隔は、二次ファスナー１０と一次ファスナー６との前後動調整により均一ではないが、化粧板水平片１７Ｆと腰水切底板２Ｄで挟着固定されるため、該幅寸法Ｗｂを一定に確保することは、後部取付板水平片１６Ｆと化粧板水平片１７Ｆとの前後摺動により容易であり、該幅寸法Ｗｂの全長に亘る等寸設定は、建物の新築、改修に関わらず美観及び高級感を呈し、意匠上の効果を奏する。
【００２３】
また、化粧板垂直片１７Ｗは、図１、図２に示す如く、一次ファスナー垂直片６Ｗ下端よりも下方に延出し、且つ、基礎コンクリート１との間隔Ｇ２にはシーリング２２ｂを充填するのが好ましい。
この場合、間隔Ｇ２は一定ではないが、バックアップ材２２ｂ´を適切に用いれば、シーリング２２ｂが容易である。
そして、化粧板１７が腰水切２の底板２Ｄからコンクリート基礎１に亘る領域の外観を向上させると共に、腰水切２から断熱複合パネルＰの条溝、即ち通気層ａへの空気流入を底板２Ｄの空気孔Ｈ２のみとするため、パネル内条溝ａへの上昇空気流が保証される。
【発明の効果】
【００２４】
本発明は、コンクリート躯体外面に張設する断熱複合パネルＰが二次ファスナー１０に係止され、且つ、二次ファスナー１０が、コンクリート基礎に固定した一次ファスナー６に対して前後左右の位置調整の下に止着出来るため、コンクリート躯体表面の不陸の有無に関わりなく、接続並設する各断熱複合パネルＰの外面、即ちセメント板Ｐａ表面、の面一で均斉な取付けが可能となる。
【００２５】
そして、一次ファスナー６は、コンクリート基礎１へのアンカーボルト６ａによる強固な固定であれば良いため、アンカーボルト６ａは、コンクリート基礎構築時の埋設でも、既存コンクリート基礎１へのあと施工での打込みでも可能であり、本発明は、新築建物にも、既存建物の乾式被覆改修外断熱構工法にも好適に適用出来る。
【００２６】
更に、腰水切２は、前部取付板１５を介した二次ファスナー１０への取付けと、後部取付板１６を介した一次ファスナー６への取付けとなり、断熱複合パネルＰ下端の位置調整に追従した均斉な取付けが可能であると共に、前部と後部の２点支持により強固に配置出来る。
【００２７】
そして、パネルＰ下端とコンクリート基礎１前面Ｓｃとの界面隙間ａ´を空密的に閉止したことと、腰水切底板２Ｄの空気孔Ｈ２から条溝ａに通気可能としたことにより、断熱複合パネルＰが密着層型であるにも関わらず、断熱層Ｐｂとセメント板Ｐａの界面での結露が防止出来ると共に、断熱層Ｐｂの湿潤による断熱機能低下が抑制出来、コンクリート躯体前面Ｓｃと断熱層Ｐｂとの界面隙間ａ´が断熱空気層と出来、しかも、セメント板Ｐａも条溝ａでの通気により、湿度上昇に伴う劣下も抑制出来る。
【発明を実施するための最良の形態】
【００２８】
〔断熱複合パネル（図３）〕
図３（Ａ）は、パネルＰの一部切欠斜視図であり、図３（Ｂ）は、（Ａ）のＢ−Ｂ線断面図であり、（Ｃ）は（Ｂ）の部分拡大図である。
断熱複合パネルＰは、セメント、硅酸質原料及び繊維質原料を混合して押出成形し、オートクレーブ養生した押出成形セメント板Ｐａと、７５mm厚の押出法ポリスチレンフォーム断熱材Ｐｂとの接着一体化積層物である。
【００２９】
セメント板Ｐａは、図３（Ｂ）の如く、厚さＴ１が２５mm、幅Ｗ０が４９０mmで内面に深さ１３mmの条溝ａ群を上下方向に並設したものであり、条溝ａ群のうち、両端及び中央の条溝ａ１は、一方が６０°、他方が８０°に傾斜した台形断面であり、他の条溝ａ２は短形断面である。
中央に台形条溝ａ１を２個配置したのは、セメント板Ｐａを幅方向２分割して１／２幅サイズでの使用を可能にするためである。
【００３０】
断熱層Ｐｂは、幅Ｗ１がセメント板幅Ｗ０（４９０mm）より１０mm大な５００mmの発泡成形断熱材であり、セメント板Ｐａと断熱材Ｐｂとの接着は、図３（Ｂ）の如く、断熱材Ｐｂをセメント板Ｐａの条溝配置面上に、条溝ａをふさがないように、且つ、一方では段差ｄ１（１０mm）入り込み、他方では段差ｄ２（２０mm）突出した形態に接着剤で一体化する。
また、パネルＰの上端では、断熱層Ｐｂは、全幅に亘り一次ファスナー水平片６Ｆ載置用の切欠Ｃ１を付与し、両端のセメント板台形条溝ａ１対応位置では自在ナット金具８（図６）嵌入用の切欠Ｃ２を付与する。
【００３１】
〔一次ファスナー６（図４（Ａ））〕
図４（Ａ）に示す如く、一次ファスナー６は、長さＬ６が２１０mm、厚さが６mmで幅Ｗ６が６５mmの等辺山形鋼であり、水平片６Ｆには両端６Ｓから４０mmの位置に幅１２mm、長さ３０mmの前後方向長孔Ｈ６の一対を穿設し、垂直片６Ｗ中央部には、径１０mmのアンカーボルト６ａを位置調整可能に締着するための、径２０mmのボルト挿入用の孔Ｈ６０を穿設する。
【００３２】
〔二次ファスナー（図４（Ｂ））〕
図４（Ｂ）に示す如く、二次ファスナー１０は、厚さが６mm、幅（Ｗ１０）が６５mm、長さＬ１０が２１０mmの平鋼の水平片１０Ｆに、両端１０Ｓより４０mm、後端１０ｂより１７mmの位置に、幅が１２mm、長さが３０mmの左右方向長孔Ｈ１０の一対を穿設し、水平片１０Ｆ前端上面には、両端１０Ｓから４０mmの位置に、セメント板台形条溝ａ１に嵌合させるための、鋼製の２．３mm厚で高さｈ１２が３０mm、長さＬ１２が３０mm、幅Ｗ１２が１２mmの上面視台形状で、前面を面板１２Ｐで閉塞した箱形状の上方突出片１２ａを溶接一体化する。
この場合、上方突出片１２ａ基端周囲に溶接による盛り上がり肉が発生しないように、上方突出片１２ａの底板に溶接用孔を穿孔して水平片１０Ｆと溶接する。
【００３３】
〔腰水切金具（図５）〕
図５（Ａ）は腰水切２の斜視図であり、図５（Ｂ）は腰水切２の（Ａ）図Ｂ−Ｂ線断面図であり、図５（Ｃ）は前部取付板１５の斜視図であり、図５（Ｄ）は後部取付板１６の斜視図であり、図５（Ｅ）は化粧板１７の斜視図である。
図５（Ａ），（Ｂ）に示す如く、腰水切２は、長尺物（標準：４,０００mm）であって、断面形状は、高さｈ２´が１５mmの立上り板２Ｂと幅Ｗ２´が３２mmで勾配高さ５mmの傾斜天板２Ｕと、高さｈ２が１５mmの立下り板２Ｗと、立下り板２Ｗの下端に５mmの水切片２Ｃを残した位置から後方に、幅Ｗ２が９５mmの底板２Ｄを備えたものであり、底板２Ｄには５０mm間隔で前後一対の空気孔Ｈ２を穿設する。
【００３４】
前部の取付板１５、化粧板１７は、共に長尺物（標準４０００mm）であり、前部取付板１５は、１．６mm厚の鋼板の山形（直角）折曲材であって、水平片１５Ｆの幅Ｗ１５が１５mm、垂直片１５Ｗの高さｈ１５が２０mmである。
後部取付板１６は、１．６mm厚の鋼板の山形折曲材であって、水平辺１６Ｆの幅Ｗ１６が４０mmで、垂直片１６Ｗの高さｈ１６が２０mmであり、アンカーボルト６ａの各締着座金６ｂに干渉しないサイズの短尺物とする。
また、一次ファスナー６の垂直片６Ｆを隠蔽するための化粧板１７は、１．５mm厚の山形状のアルミ押出成形品であり、水平片１７Ｆの幅Ｗ１７が４０mmで、垂直片１７Ｗの高さｈ１７が３０mmである。
【００３５】
〔断熱複合パネルＰの取付け（図１、図７）〕
本発明を、乾式被覆改修外断熱構工法に適用する。
まず、既存建築物の基礎コンクリート１及びコンクリート躯体Ｃｗに基準墨によりマーク付けし、コンクリート躯体、基礎コンクリートに径１０．５mmの孔を穿孔し、径１０mmのあと施工アンカーボルト６ａ（サンコーテクノ（株）商品名：オールアンカー、岡部建材（株）商品名：ネールアンカー等）を挿入し、あと施工アンカー６ａの径中央の芯棒をハンマーで打込んで、あと施工アンカー先端がコンクリート内で開いた状態とし、アンカーボルト６ａ１本当り８９０kgfの引張荷重強度を付与する。
【００３６】
次いで、図１（Ａ）の如く、一次ファスナー６の垂直片６Ｗのボルト挿入用孔Ｈ６０（孔径：２０mm）をアンカーボルト６ａの突出部に嵌合し、径１２mmのボルト用孔を有する座金６ｂを介してナット６ｃを強固に締着する。
この場合、一次ファスナーの孔Ｈ６０は径が２０mmであり、アンカーボルト径が１０mmであるので、アンカーボルト６ａと一次ファスナー６とを、上下左右の必要位置調整の下に強固に締着する。
【００３７】
パネル１枚当りの負荷重量は４５kg前後であり、一次ファスナー６は、図７（Ａ）の如く、各パネルＰの接続目地ｄ３の位置に配置するので、各パネルＰの適正支持が可能となる。
次いで、固定された一次ファスナー６の水平片６Ｆ上に二次ファスナー水平片１０Ｆを載置して両ファスナー６，１０のボルト挿入用孔Ｈ６，Ｈ１０を重ねて径１０mmのボルト１３ａを座金を介して挿通し、二次ファスナー１０を前後方向長孔Ｈ６、左右方向長孔Ｈ１０によって位置調整して下方の座金１４ｂを介したナット１４ａによって強固に締着する。
【００３８】
そして、図１（Ａ）の如く、一次ファスナー水平片６Ｆ後方に、且つ、コンクリート基礎１前面Ｓｃに当接して、幅２０mmで２mm厚の隙間追従シート２３（積水化学工業（株）商品名：ソフトロン）を載置し、並設する両側の断熱複合パネルＰの両端の断面台形条溝ａ１を二次ファスナー上方突出片１２ａに嵌合し、二次ファスナー水平片１０Ｆで両側のパネルＰの下端面を支承する。
【００３９】
そして、二次ファスナー１０の上方突出片１２ａとセメント板Ｐａとの係合にガタツキが生じた場合は、図２（Ａ）の如く、上方突出片１２ａの面板１２Ｐとセメント板Ｐａとをねじ２６で止着する。
尚、パネル断熱層Ｐｂの下端には、ボルト１３ａ及び座金１３ｂを嵌入させるための凹部（図示せず）を予め形成しておく。
【００４０】
断熱複合パネルＰの二次ファスナー１０上への載置係止後、一次ファスナー６の存在しない領域で、図１（Ｂ）の如く、パネル断熱層Ｐｂ下端とコンクリート基礎１、又はコンクリート躯体の前面Ｓｃとの間に界面隙間ａ´が生じた場合は、バックアップ材２２Ｃ´を介してシール２２Ｃを施し、図２（Ｂ）の如く、界面隙間ａ´が生じないか、小さな場合は、断熱層Ｐｂ下端とコンクリート基礎前面Ｓｃとの境界部にシール２３´を施し、パネル断熱層Ｐｂ下端とコンクリート基礎１前面Ｓｃの界面隙間ａ´への空気侵入を閉止する。
【００４１】
次いで、図１（Ａ）の如く、前部取付板１５の水平片１５Ｆを二次ファスナー水平片１０Ｆ前端下面に、短尺物の後部取付板１６の垂直片１６Ｗを、各一次ファスナー垂直片６Ｗ間に、各座金６ｂに干渉しないように当接して溶接し、腰水切立上り板２Ｂは前部取付板垂直片１５Ｗ前面に、腰水切底板２Ｄの後部は化粧板１７の水平片１７Ｆを狭持した形態で後部取付板水平片１６Ｆに、ねじＳで止着する。
【００４２】
尚、底板２Ｄと水平片１６Ｆとのねじ止着に先立って、化粧板水平片１７Ｆを、底板２Ｄ上面に、水切片２Ｃと化粧板垂直片１７Ｗとの幅寸法Ｗｂを一定にして予め接着しておく。
また、化粧板垂直片１７Ｗとコンクリート基礎１前面との隙間Ｇ２には、バックアップ材２２ｂ´を介してシール２２ｂを施す。
また、腰水切２の立上り板前面に於て、パネルセメント板Ｐａ下端と腰水切傾斜天板２Ｕとの間にも、バックアップ材２２ａ´を介してシール２２ａを施す。
【００４３】
また、断熱複合パネルＰの上端は、図６に示す如き、水平片７Ｆ下面に、ナット摺動用の自在ナット金具８を備えた一次ファスナー７と、水平片２１の上下に突出片１２ａ，１２ｂを、且つ、上方突出片１２ａは接続目地ｄ４形成用の支持台２１ａ上に配置した二次ファスナー２１とを用い、一次ファスナー７をアンカーボルト６ａでコンクリート躯体Ｃｗの前面Ｓｃに締着し、二次ファスナー２１の下方突出片１２ｂをパネル条溝ａ１の上端に係止した後、二次ファスナー２１の左右長孔Ｈ２１と一次ファスナー７の前後長孔Ｈ７とを介して二次ファスナー２１を一次ファスナー７に位置調整して固定し、次いで、上側パネルＰの下端の条溝ａ１を二次ファスナー２１の上方突出片１２ａに係止すれば、上下パネル接合が達成出来る。
【００４４】
そして、図７に示す如く、各断熱複合パネルＰは、上下方向中間で、且つ、両側端部適所をあと施工アンカー２４でセメント板Ｐａをコンクリート躯体Ｃｗに打ち付ければ良い。
この場合、各パネルＰの左右接続部ｄ３は、図３（Ｂ）の如く、セメント板Ｐａに対して断熱層Ｐｂが一側ではｄ１（１０mm）入り込み、他側ではｄ２（２０mm）突出しているため、図７（Ｂ）の如く、両側パネルの断熱層Ｐｂ当接位置がセメント板Ｐａ面で閉止出来、且つ、目地ｄ３でのバックアップ材２２ｄ´を介してシーリング２２ｄを充填することにより、目地ｄ３→断熱層Ｐｂ→コンクリート躯体への空気の流入が完全に閉止出来、パネルＰの接続部ｄ３での断熱機能低下が抑制出来る。
【００４５】
〔その他〕
本発明は、断熱複合パネルＰの二次ファスナー１０との係止を条溝ａへの上方突出片１２ａで実施するため、腰水切２から断熱複合パネルＰ内への通気は、上方突出片１２ａの嵌入した条溝ａでは、突出片１２ａによって阻害されるが、突出片１２ａ嵌入条溝ａ１と他方の条溝ａとの境界のリブＲにバイパス溝（図示せず）を横断配置すれば、パネルＰ全面での下方から上方への通気が可能となる。
また、上方突出片１２ａから前部取付板１５の水平片１５Ｆまで空気流通孔（図示せず）を上下貫通穿設しても、パネルＰ全面通気が得られる。
【産業上の利用可能性】
【００４６】
本発明は、コンクリート建築物の新築時に、アンカーボルト６ａをコンクリート躯体、コンクリート基礎に、コンクリート打設と共に埋設することにより、コンクリート躯体の若干の不陸発生があっても、断熱複合パネルＰは合理的、且つ容易に面一張設出来、密着層型断熱複合パネルでありながら、パネル内通気性を備えた、耐久性大な外断熱建築物が得られるが、既存コンクリート建築物に対する乾式被覆改修外断熱構工法に採用すれば、新築外断熱工法での建物同様に、結露防止による健康的な、省エネルギーで、且つ、耐久性の向上した建物に改築出来る。
従って、本発明は、既存コンクリート建築物の改修に極めて有利な実用性の高い発明である。
【図面の簡単な説明】
【００４７】
【図１】本発明のパネルＰとコンクリート基礎１とに界面隙間を生じた場合の要部断面図であって、（Ａ）はパネル係止部を、（Ｂ）はパネル係止部以外の部分を示す図である。
【図２】本発明のパネルＰとコンクリート基礎１とに界面隙間を生じない場合の断面図であって、（Ａ）はパネル係止部を、（Ｂ）はパネル係止部以外を示す図である。
【図３】本発明に用いる断熱複合パネルＰの説明図であって、（Ａ）は斜視図、（Ｂ）は（Ａ）のＢ−Ｂ線断面図、（Ｃ）は（Ｂ）の部分拡大図である。
【図４】本発明の一次、二次各ファスナーの斜視図であって、（Ａ）は一次ファスナーを、（Ｂ）は二次ファスナーを示す図である。
【図５】本発明の腰水切金具であって、（Ａ）は腰水切２の斜視図、（Ｂ）は（Ａ）のＢ−Ｂ線断面図、（Ｃ）は前部取付板の斜視図、（Ｄ）は後部取付板の斜視図、（Ｅ）は化粧板の斜視図である。
【図６】本発明パネルＰの上下接続部の説明図であって、（Ａ）は一次ファスナー斜視図、（Ｂ）は二次ファスナー斜視図、（Ｃ）は上下パネル間接続部の断面図である。
【図７】本発明パネルの左右接続部の横断面図であって、（Ａ）は外壁下端での一次ファスナー６及び二次ファスナー１０とパネル接続目地との関係を、（Ｂ）はパネル目地部を、（Ｃ）は下端パネルと上方パネルとの接続部での一次ファスナー７及び二次ファスナー２１と接続目地との関係を示す図である。
【図８】従来例１の説明図であって、（Ａ）は横断面図、（Ｂ）は（Ａ）のＢ部拡大図、（Ｃ）は下端縦断面図である。
【図９】従来例２の説明図であって、（Ａ）は横断面図、（Ｂ）は（Ａ）のＢ部拡大図、（Ｃ）は水切のない下端縦断面図、（Ｄ）は水切を設けた下端縦断面図である。
【符号の説明】
【００４８】
１      コンクリート基礎
２      腰水切
２Ｂ    立上り板
２Ｃ    水切片
２Ｄ    底板
２Ｕ    傾斜天板
２Ｗ    立下り板
６，７  一次ファスナー
６ａ    アンカーボルト
６ｂ，１３ｂ，１４ｂ    座金
６ｃ，１４ａ    ナット
６Ｆ，７Ｆ，１０Ｆ，２１Ｆ    水平片
６Ｓ，７Ｓ，１０Ｓ，２１Ｓ    側端
６Ｗ，７Ｗ    垂直片
８      自在ナット金具
９      現場発泡断熱材
１０，２１    二次ファスナー
【００４９】
１２ａ  上方突出片（突出片）
１２ｂ  下方突出片（突出片）
１３ａ  ボルト
１５    前部取付板
１５Ｆ，１６Ｆ，１７Ｆ    水平片
１５Ｗ，１６Ｗ，１７Ｗ    垂直片
１６    後部取付板
１７    化粧板
２２ａ，２２ｂ，２２ｃ，２２ｄ，２３´    シーリング
２２ａ´，２２ｂ´，２２ｃ´，２２ｄ´    バックアップ材
２３    隙間追従シート
２６，Ｓ    ねじ
【００５０】
ａ，ａ１，ａ２    条溝（通気層）
ａ´    界面隙間（密閉空気層）
Ｃ１，Ｃ２    切欠
Ｃｗ    コンクリート躯体
ｄ１，ｄ２    段差
ｄ３，ｄ４    接続部（接続目地、目地）
Ｇ１，Ｇ２    隙間
Ｈ２    空気孔
Ｈ６，Ｈ７，Ｈ１０，Ｈ２１，Ｈ６０，Ｈ７０    ボルト挿入用孔（ボルト孔）
Ｐ      断熱複合パネル（パネル）
Ｐａ    セメント板
Ｐｂ    断熱層（断熱板）
Ｒ（Ｒ１，Ｒ２）    リブ
Ｓｃ    前面（コンクリート躯体前面）
【図１】
2005061043.tif 000003
【図２】
2005061043.tif 000004
【図３】
2005061043.tif 000005
【図４】
2005061043.tif 000006
【図５】
2005061043.tif 000007
【図６】
2005061043.tif 000008
【図７】
2005061043.tif 000009
【図８】
2005061043.tif 000010
【図９】
2005061043.tif 000011